(57)【要約】【課題】  メディアに記録した画像データをプリントする際に、できるだけ手間を掛けずに処理データを設定するプリント装置を構成する。【解決手段】  受付部Ｒにおいて、メディアに記録された画像データを画像データ取得手段３０で取得し、そのメディアに記録された処理データを処理データ取得手段３１で取得し、夫々を受付部Ｒのディスプレイ２３のプレジャッジ画面に表示し、このように表示された画像データと処理データとに基づき写真プリント部Ｐの処理ユニット１０がプリントを実現する。【選択図】        図３
2005189685.tif 000002
【特許請求の範囲】
【請求項１】
メディアに記録された画像データをメディアドライブで取得し、この画像データをプリント部において処理データに基づきプリント媒体にプリントするプリント処理手段を備えているプリント装置であって、
前記メディアに記録されている前記画像データを前記メディアドライブで取得する画像データ取得手段を備えると共に、
前記処理データは顧客データを含んでおり、前記メディアに記録されている処理データを前記メディアドライブで取得する処理データ取得手段、又は、前記メディアに記録されている識別データを前記メディアドライブで取得し、この識別データに基づいて処理データ保存部に保存されている処理データを抽出する処理データ抽出手段を備え、
前記プリント処理手段は、前記処理データ取得手段が取得した処理データ、又は、前記処理データ抽出手段が抽出した処理データに基づいて前記プリント部を制御することにより、前記画像データ取得手段が取得した画像データのプリント処理を実現するよう構成されているプリント装置。
【請求項２】
情報を表示するディスプレイを備えると共に、このディスプレイに形成したプレジャッジ画面に対して前記画像データ取得手段が取得した画像データを表示するプレジャッジ処理手段を備え、前記処理データ取得手段が取得した処理データ、又は、前記処理データ抽出手段が抽出した処理データに含まれるプリントサイズのデータを前記プレジャッジ画面に設定する処理データ設定手段を備えている請求項１記載のプリント装置。
【請求項３】
前記プレジャッジ画面において、前記処理データに含まれる前記プリントサイズのデータを修正可能に構成している請求項２記載のプリント装置。
【請求項４】
前記処理データを、前記処理データ取得手段が取得可能なデータ構造で前記メディアに記録するデータ記録手段を備えると共に、
前記メディアに記録された画像データを前記画像データ取得手段が取得し、任意に設定した処理データに基づいてプリント処理を行った際に、この処理データを前記処理データ記録手段が前記メディアに記録する記録処理ステップが設定され、この記録処理ステップを実行する際には、記録の可否の判断を求めるメッセージを出力する確認手段を備えている請求項１又は２記載のプリント装置。
【請求項５】
前記処理データを前記識別データと関連付けて前記処理データ抽出手段で抽出可能なデータ構造で前記処理データ保存部に保存するデータ保存手段を備えると共に、
前記メディアに記録された画像データを前記画像データ取得手段が取得し、この画像データを、任意に設定した処理データに基づいてプリントした際に、この処理データを前記データ保存手段が前記処理データ保存部に保存する保存処理ステップが設定され、この保存処理ステップを実行する際には、保存の可否の判断を求めるメッセージを出力する確認手段を備えている請求項１又は２記載のプリント装置。
【請求項６】
前記データ保存手段で保存ステップを実行する際において、前記識別データが前記メディアに既に記録されている場合には、前記処理データ保存部に既に保存されている識別データと関連付けて前記処理データを保存し、前記識別データが前記メディアに記録されていない場合には、その識別データをメディアに記録し、かつ、前記処理データ保存部に対して前記識別データと関連付けて前記処理データを保存するよう処理形態が設定されている請求項５記載のプリント装置。
【請求項７】
消去不能なデータを予め保存した前記メディアが前記メディアドライブにセットされた場合には、そのデータを前記識別データとして用いるよう構成されている請求項４又は５記載のプリント装置。
【発明の詳細な説明】
【技術分野】
【０００１】
本発明は、メディアに記録された画像データをメディアドライブで取得し、この画像データをプリント部において処理データに基づきプリント媒体にプリントするプリント処理手段を備えているプリント装置に関する。
【背景技術】
【０００２】
上記のように構成されたプリント装置としては特許文献１に記載されるものが存在する。つまり、記憶媒体（本発明のメディア）に記録された画像データのプリントを行う際には、顧客が端末或いはプリント注文データ作成装置で記憶媒体から画像データを読み出してプリント枚数、プリントサイズを含むプリント注文データ（本発明の処理データ）を作成し、このように作成したプリント注文データが画像データと関連付けられた状態でＷＡＮを介して注文サーバに送信され、プリンタで注文内容に応じたプリントが行われ、プリント物は写真店から顧客に対して郵送や宅配等の手段で配送されるものとなっている。前記プリント注文データには固有の注文番号が付されたファイルに記憶され、顧客が再注文を希望する場合には、端末において過去に行ったプリント注文データが一覧化して表示され、この表示中から実際に注文を行った年月日等からプリント注文データを特定することが可能となり、そのプリント注文データ（プリント枚数、プリントサイズ等）に従ったプリントを行えるよう構成されている。
【特許文献１】特開２００２‐３６６８１０号公報  （段落番号〔００１６〕〜〔００３０〕、図１〜図３）
【発明の開示】
【発明が解決しようとする課題】
【０００３】
近年、デジタルカメラで撮影された画像データをプリントするためのプリント装置がＤＰ店の店頭や、コンビニエンスストアに設置されている。この種のプリント装置では、デジタルカメラで撮影された画像データが記録されたメディアを顧客がセットすることにより、ディスプレイに画像データが表示され、このように表示された画像データから、プリント対象とする画像データを指定し、プリントサイズとプリント枚数とを指定する操作を行い、必要な場合にはプリントペーパの種類を選択することや、撮影年月日時刻のプリントに可否を選択することや、装飾用のテンプレートを選択することや、画像データの補正を行い、この後、料金を支払い、プリントを実行することによってプリント物を得るものとなっている。
【０００４】
前述のようにデジタルカメラで撮影した画像データをセルフサービスの形態でプリントを行うものでは、プリントを行おうとする度に、顧客が少なくともプリントサイズとプリント枚数との入力を行う必要がある。しかしながら、プリントサイズや、プリントペーパの種類や、撮影時刻のプリントの可否等は顧客毎に決まっているのが普通であり、画像データのプリントを行う際にオーダデータの入力を必ず必要とするものでは手間が掛かるものとなり改善が望まれている。
【０００５】
そこで、特許文献１に記載されているようにサーバーに処理データを保存しておき、この後に同様の処理データに従ってプリントを行う場合にはサーバーに保存されている処理データのみを抽出し、この処理データに基づいて新たな画像データのプリントを行うことも考えられるが、このようにサーバーに処理データを保存するものでは、保存してある処理データを抽出するために、顧客が先に処理を行った年月日を入力することや、注文番号を入力することや、顧客のＩＤを入力する必要があり手間が掛かるばかりでなく、入力に手間が掛かる点において改善の余地がある。
【０００６】
本発明の目的は、メディアに記録した画像データのプリントを行う際には、できるだけ手間を掛けずに処理データを設定してプリントを実現するプリント装置を合理的に構成する点にある。
【課題を解決するための手段】
【０００７】
本発明の特徴は、メディアに記録された画像データをメディアドライブで取得し、この画像データをプリント部において処理データに基づきプリント媒体にプリントするプリント処理手段を備えているプリント装置において、
前記メディアに記録されている前記画像データを前記メディアドライブで取得する画像データ取得手段を備えると共に、前記処理データは顧客データを含んでおり、前記メディアに記録されている処理データを前記メディアドライブで取得する処理データ取得手段、又は、前記メディアに記録されている識別データを前記メディアドライブで取得し、この識別データに基づいて処理データ保存部に保存されている処理データを抽出する処理データ抽出手段を備え、前記プリント処理手段は、前記処理データ取得手段が取得した処理データ、又は、前記処理データ抽出手段が抽出した処理データに基づいて前記プリント部を制御することにより、前記画像データ取得手段が取得した画像データのプリント処理を実現するよう構成されている点にある。
【０００８】
この構成により、メディアドライブにセットされたメディアから画像データ取得手段が画像データを取得し、処理データ取得手段が処理データを取得する、又は、処理データ抽出手段が処理データを抽出し、この後、プリント処理手段が、処理データに基づいてプリント部を制御することにより顧客データを把握した状態で画像データをプリント媒体にプリントできる。つまり、メディアに記録した処理データ、又は、メディアに記録した識別データに基づいて抽出した処理データに基づいて、メディアに記録した画像データのプリントを行えるので、例えば、顧客が処理データを入力しなくとも、顧客を特定するデータや顧客に関連するデータを入力する手間を省き、既に存在する処理データに基づいてプリントを行え、処理データを入力する手間を省けるのである。
【０００９】
本発明は、情報を表示するディスプレイを備えると共に、このディスプレイに形成したプレジャッジ画面に対して前記画像データ取得手段が取得した画像データを表示するプレジャッジ処理手段を備え、前記処理データ取得手段が取得した処理データ、又は、前記処理データ抽出手段が抽出した処理データに含まれるプリントサイズのデータを前記プレジャッジ画面に設定する処理データ設定手段を備えても良い。
【００１０】
この構成により、メディアをメディアドライブにセットしてプリントを行う場合には、プレジャッジ画面に対してメディアに記録された画像データを表示すると共に、処理データに含まれるプリントサイズのデータをプレジャッジ画面に設定するものとなり、顧客はプレジャッジ画面に設定されたプリントサイズのデータとプリント枚数のデータを確認し、必要な場合にのみ修正する程度の操作を行った後にプリントを実行できる。
【００１１】
本発明は、前記プレジャッジ画面において、前記処理データに含まれる前記プリントサイズのデータを修正可能に構成しても良い。
【００１２】
この構成により、プレジャッジ画面に表示されたプリントサイズデータを任意に修正できるものとなり、顧客の意向を反映したプリントサイズでのプリントが可能となる。
【００１３】
本発明は、前記処理データを、前記処理データ取得手段が取得可能なデータ構造で前記メディアに記録するデータ記録手段を備えると共に、前記メディアに記録された画像データを前記画像データ取得手段が取得し、任意に設定した処理データに基づいてプリント処理を行った際に、この処理データを前記処理データ記録手段が前記メディアに記録する記録処理ステップが設定され、この記録処理ステップを実行する際には、記録の可否の判断を求めるメッセージを出力する確認手段を備えても良い。
【００１４】
この構成により、メディアに記録された画像データをプリント装置でプリントした後には、このプリント時の処理データをデータ記録手段によってメディアに記録できるものとなり、このように記録する場合には確認手段が記録の可否を求めるので、顧客の意向に反して記録が行われることもない。つまり、処理データをメディアに記録することにより、常に最新の処理データをメディアに記録し、この後に、プリントを行う場合に顧客が必要とする形態でのプリントを実現するのである。
【００１５】
本発明は、前記処理データを前記識別データと関連付けて前記処理データ抽出手段で抽出可能なデータ構造で前記処理データ保存部に保存するデータ保存手段を備えると共に、前記メディアに記録された画像データを前記画像データ取得手段が取得し、この画像データを、任意に設定した処理データに基づいてプリントした際に、この処理データを前記データ保存手段が前記処理データ保存部に保存する保存処理ステップが設定され、この保存処理ステップを実行する際には、保存の可否の判断を求めるメッセージを出力する確認手段を備えても良い。
【００１６】
この構成により、メディアに記録された画像データをプリント装置でプリントした後には、このプリント時の処理データが、識別データと関連付けて処理データ保存手段に保存できるものとなり、このように記録する場合には確認手段が記録の可否を求めるので、顧客の意向に反して保存が行われることがない。つまり、処理データを処理データ保存手段に保存することにより、常に最新の処理データを保存し、この後に、プリントを行う場合に顧客が必要とする形態でのプリントを実現するのである。
【００１７】
本発明は、前記データ保存手段で保存ステップを実行する際において、前記識別データが前記メディアに既に記録されている場合には、前記処理データ保存部に既に保存されている識別データと関連付けて前記処理データを保存し、前記識別データが前記メディアに記録されていない場合には、その識別データをメディアに記録し、かつ、前記処理データ保存部に対して前記識別データと関連付けて前記処理データを保存するよう処理形態を設定しても良い。
【００１８】
この構成により、識別データが記録されていないメディアの画像データをプリントした後には、識別データをメディアに記録することが可能となり、この識別データをメディアに記録した後において、メディアに記録した画像データをプリントする際には、メディアに記録された識別データに基づき処理データを抽出してプリント処理を実行することが可能となる。
【００１９】
本発明は、消去不能なデータを予め保存した前記メディアが前記メディアドライブにセットされた場合には、そのデータを前記識別データとして用いるよう構成しても良い。
【００２０】
この構成により、市販されている一部のフラッシュメモリには消去不能な識別データが予め記録されたものが存在し、このフラッシュメモリを利用することも可能となる。
【発明を実施するための最良の形態】
【００２１】
以下、本発明の実施形態を図面に基づいて説明する。
〔第１実施の形態〕
図１〜図３に示すように、画像データを取得する受付部Ｒと、この受付部Ｒから通信ケーブルＣ１を介して伝送される画像データをプリント媒体としての銀塩式の印画紙１にプリントする写真プリント部Ｐとを備えてプリント装置が構成されている。
【００２２】
同図のプリント装置はＤＰ店に設置されるものを示しており、このプリント装置では、受付部Ｒにおいて、例えば、デジタルカメラで撮影された画像データを保存したスマートメディアＳＭ、コンパクトフラッシュ（商標）ＣＦ、メモリースティックＭＳ（商標）、ＳＤカードＳＤ等のフラッシュメモリ型のメディアＭや、個人が画像情報を保存したＣＤ−ＲＯＭ、ＭＯ等のメディアＭから画像データを取得すると共に、受付部Ｒにおいてプリントサイズやプリント枚数等プリント処理に必要なデータと顧客の氏名や電話番号等の顧客に関連する顧客データとで成る処理データを取得し、通信ケーブルＣ１を介して写真プリント部Ｐに伝送することにより、この写真プリント部Ｐにおいて印画紙１に対するプリントを実現するものである。前記受付部Ｒでは画像データを受け付けた際には、顧客に対して受付証ＲＥを発行し、この受付証ＲＥの発行の後、顧客が受付証ＲＥをサービスカウンター等でＤＰ店の担当者に提示することにより、受付証ＲＥからオーダを特定し、料金と引き換えにプリントの仕上がりを受け取ることを実現するものである。
【００２３】
〔写真プリント部〕前記写真プリント部Ｐは、テーブル状に形成されたオペレートブロックＰｏと、現像処理ブロックＰｄとを一体化した本体、及び、この本体から分離するスキャナーユニットＰｓを備えている。この写真プリント部Ｐでは、前記オペレートブロックＰｏの下部に配置された印画紙マガジン（図示せず）からの印画紙１をプリントサイズに切断してデジタル型の露光ヘッド（図示せず）に供給して画像データの露光を行い、このように露光された印画紙１を前記現像処理ブロックＰｄの現像処理槽（図示せず）で現像処理を行った後に、乾燥を行い、この乾燥の後、現像処理ブロックＰｄの上面の横送りコンベア２に送出し、この横送りコンベア２からの印画紙１を仕分けコンベア３に送り出すよう処理形態が設定されている。前記露光ヘッドは、印画紙１の搬送方向と直交する方向にレーザービームを送り出して走査を行う形式のものを使用しているが、この露光ヘッドとして蛍光ビーム方式、液晶シャッター方式、ＤＭＤ方式又はＦＯＣＲＴ等の使用が可能である。
【００２４】
前記オペレートブロックＰｏには、ＣＤ−ＲＯＭとＤＶＤとからの情報の読出し、及び、ＣＤ−Ｒに対する情報の書き込みを行うコンボドライブ５と、スマートメディアＳＭ、コンパクトフラッシュＣＦ、メモリースティックＭＳ、ＳＤカードＳＤ等のフラッシュメモリ型のメディアや、ＣＤ−Ｒ、ＭＯ等各種のメディアに対応した複数のマルチドライブ６とを備えると共に、画像データや各種情報の表示を行うＣＲＴ型のディスプレイ７を備えている。また、このオペレートブロックＰｏのテーブル状の部位には、キーボード８とマウス９とを備え、このオペレート部の下部にはマイクロプロセッサを有した制御ユニット１０（プリント処理手段の一例）を備えている。
【００２５】
前記制御ユニット１０は汎用コンピュータを用いて成り、ＧＵＩ（Graphical User Interface）型のオペレーティングシステム（ＯＳ）上において各種のソフトウエアの作動を実現するように構成されている。具体的には、前記受付部Ｒで取得した画像データや、前記マルチドライブ６で取得した画像データや、前記スキャナユニットＰｓでデジタル信号化されて取得した画像データをディスプレイ７に表示した状態で、プリント対象の指定やプリントサイズの設定を実現すると共に、ディスプレイ７に表示された画像データのうち、任意に選択した画像データの補正や、トリミングを画像処理用のソフトウエアで行えるよう構成されているのである。
【００２６】
前記スキャナーユニットＰｓは、底部にキャスタを備えた筐体１５の上面に対して、交換自在にフィルムキャリア１６を備え、筐体内部に備えた光源からの光線を光ファイバーを介してフィルムキャリアの上方位置から照射するアーム１７を備え、このアームから照射された光線をフィルムキャリア１６に支持された写真フィルムＦに照射し、その写真フィルムＦを透過した光線を光学レンズからＣＣＤ等の光電変換素子に結像させる光学系（図示せず）を備えている。そして、写真フィルムＦのスキャニングを行う場合には、ネガティブフィルム、あるいは、ポジティブフィルムをフィルムキャリア１６にセットし、このフィルムキャリア１６において設定速度で移動させながらアーム１７の先端から下方に向けて照射する光線により、写真フィルムＦの各コマの画像情報を光電変換部でデジタル信号化し、通信ケーブルＣ２を介して制御ユニット１０に転送するよう機能する。
【００２７】
〔受付部〕前記受付部Ｒは、図２に示すように、筐体２１の上面に対し表示面にタッチパネル２２を形成した液晶型のディスプレイ２３を備えると共に、筐体２１の前面には、前記フラッシュメモリ型のメディアＭとしてのスマートメディアＳＭ、コンパクトフラッシュＣＦ、メモリスティックＭＳ、ＳＤカードＳＤ、あるいは、ディスク型のメディアＭとしてのＣＤ−ＲＯＭ、ＭＯ夫々に対応する複数のメディアドライブ２４を備え、筐体２１の上面でディスプレイ２３より前面側に受付証ＲＥを発行する熱転写式の受付証プリンタ２５を備え、筐体２１の内部に処理ユニット２６を内蔵して構成されている。
【００２８】
このプリント装置の処理系を図３のように示すことが可能である。つまり、受付部Ｒの処理ユニット２６に備えた通信インタフェース２８と、写真プリント部Ｐの制御ユニット１０に備えた通信インタフェース２９とを前記通信ケーブルＣ１で接続して互いにデータのアクセスを行えるよう連係されている。受付部Ｒの処理ユニット２６は、マイクロプロセッサＣＰＵのデータバスに対して前記タッチパネル２２、ディスプレイ２３、メディアドライブ２４、受領証プリンタ２５夫々からのデータのアクセス系を形成すると共に、前記マイクロプロセッサＣＰＵのデータバスに対して半導体メモリＲＡＭ／ＲＯＭ、ハードディスクＨＤからのデータのアクセス系を形成してあり、また、マイクロプロセッサＣＰＵのデータバスに対してソフトウエアで成る画像データ取得手段３０、処理データ取得手段３１、プレジャッジ処理手段３２、処理データ設定手段３３、データ記録手段３４、確認手段３５からのデータのアクセス系を形成している。
【００２９】
前記画像データ取得手段３０、処理データ取得手段３１、プレジャッジ処理手段３２、処理データ設定手段３３、データ記録手段３４、確認手段３５はソフトウエアで構成されることを想定しているが、ハードウエアで構成されて良く、ハードウエアとの組み合わせで構成されても良い。
【００３０】
前記写真プリント部Ｐの処理ユニット１０は、マイクロプロセッサＣＰＵのデータバスに対して前記ディスプレイ７、キーボード８、マウス９、コンボドライブ５、マルチドライブ６夫々からのデータのアクセス系を形成してあり、このＣＰＵのデータバスに対して半導体メモリＲＡＭ／ＲＯＭ、ハードディスクＨＤからのデータのアクセス系を形成してあり、また、マイクロプロセッサＣＰＵのデータバスに対してソフトウエアで成るオペレーティングシステム４０、露光制御手段４１、現像制御手段４２、ペーパ搬送制御手段４３からのデータのアクセス系を形成していある。前記オペレーティングシステム４０は前述したように画像処理用のソフトウエアの処理を実現し、露光制御手段４１は露光ヘッドを制御して画像データを印画紙１に露光する処理を実現し、現像制御手段４２は現像処理部の処理液の温度管理や現像処理液の補充を実現し、ペーパ搬送制御手段４３はロール状の印画紙１をプリントサイズに切断し、露光ヘッドの部位から現像処理槽に送る処理を実現するものである。
【００３１】
この第１実施の形態のプリント装置では、受付部Ｒにおいて、フラッシュメモリ型のメディアＭや、ＭＯで成るメディアＭのようにデータの書込みが可能なメディアＭに記録された画像データのプリント処理を受け付けた場合に、そのメディアＭに予め記録されている処理データに基づいてプリント処理条件の設定を行えるよう構成されたものであり、このようなプリント処理を実現するために、メディアＭに処理データが記録されていない場合には、プリント処理を受け付けた際に、その処理データをメディアＭに記録する処理を実行可能に構成されている。
【００３２】
このような処理の流れを図４のフローチャートのように示すことが可能である。図面には示していないが、受付部Ｒのディスプレイ２３には受付時の初期操作を案内する初期画面が表示され、この初期画面に対してメディアＭの種類を指定する操作の後に、メディアＭをセットすることにより顧客データ画面が表示される（＃１０１、＃１０２ステップ）。
【００３３】
前記顧客データ画面は、図５に示す氏名入力画面と、図６に示す電話番号入力画面とで構成されている。前記氏名入力画面は、処理を中止する中止ボタン５１と、前の処理に戻るための戻るボタン５２と、処理を完了する完了ボタン５３とを下部に表示すると共に、文字を入力するキーボード５４と、キーボード５４から入力したデータを表示する入力データ表示部５５とを形成している。前記電話番号入力画面は、処理を中止する中止ボタン５１と、前の処理に戻るための戻るボタン５２と、処理を完了する完了ボタン５３とを下部に表示すると共に、数字を入力するキーボード５６と、キーボード５６から入力したデータを表示する入力データ表示部５７とを形成している。
【００３４】
そして、メディアＭに処理データが記録されている場合には、氏名入力画面の入力データ表示部５５に対して顧客の氏名を自動的に入力（設定）し、電話番号入力画面の入力データ表示部５７に対して顧客の電話番号を自動的に入力（設定）する。また、メディアＭに対して処理データが記録されていない場合には、氏名入力画面の入力データ表示部５５、及び、電話番号入力画面の入力データ表示部５７にはデータは表示されず、氏名入力画面と、電話番号入力画面とに対して顧客がディスプレイ２３のタッチパネル２２を自ら操作する形態でデータを入力することになる。
【００３５】
この顧客データは、後述する受領書ＲＥにプリントして顧客を特定するために使用することを想定しているが、例えば、画像データをプリントした印画紙Ｐを顧客が入力した住所に郵送することや、宅配によって届けるためにも使用できる。
【００３６】
処理データとは、プリント処理に必要なプリントサイズとプリント枚数とを含むと共に、プリント処理に必須ではないが補正データや顧客の氏名や顧客の電話番号を含むデータの総称である。また、この処理データは、処理データであることを示す名称を付したファイル（テキスト形式のデータで良い）に対してプリントサイズ、プリント枚数等のデータを書き込み、このファイルをメディアＭの記憶領域に保存することにより（処理データ取得手段３１が取得可能なデータ構造の一例）、名称から処理データ取得手段３１によって処理データであることを容易に認識させ、処理データを取得できるよう構成されている。尚、この処理データは、処理データであることを示す名称を付したフォルダに保存するよう処理形態を設定することも可能である。
【００３７】
顧客データの入力が完了した後には、処理ユニット２６は、ディスプレイ２３に対して図７に示す如くプレジャッジ画面を表示し、前記＃１０１ステップで処理データを取得している場合にはプレジャッジ画面に対して処理データを表示する（＃１０３、＃１０４ステップ）。
【００３８】
このプレジャッジ画面は、処理を中止する中止ボタン５１と、前の処理に戻るための戻るボタン５２と、処理を完了する完了ボタン５３とを下部に表示すると共に、これらのボタンの近傍位置にプリントサイズ、プリントの合計枚数、プリントの合計金額を表示する表示部６０を形成し、全ての画像データのプリント枚数を増減する増減ボタン６１と、補正ボタン６２とを形成している。また、プレジャッジ画面の中央部には画像データをサムネイル形式で表示する画像データ表示部６３と、画像データ表示部６３に表示された画像データのプリント枚数を表示する枚数表示部６４と、画像データ表示部６３に表示された画像データのプリント枚数を増減する枚数変更ボタン６５とを形成してあり、また、これら複数の画像データ表示部６３の下側には、ページを切換える形態で複数の画像データ表示部６４を切り換えて表示するページ切換ボタン６６を形成している。
【００３９】
そして、メディアＭに処理データが記録されている場合には、表示部６０に対してＬサイズやＥサイズ等のプリントサイズが表示されると共に、例えば、処理データとして各２枚のプリントを行うデータが記録されていた場合には、前記枚数表示部６４に「２」のデータが表示され、表示部６０の合計枚数と、合計金額との部位に対応するデータが表示される。また、メディアＭに対して処理データが記録されていない場合には枚数表示部６４に対して「１」のデータ（デフォルトのデータ）が表示され、プリントサイズとして例えば、Ｌサイズのデータ（デフォルトのデータ）が表示され、更に、これに対応したデータが表示部６０に表示され、顧客は、必要に応じて任意にデータを入力することになる。
【００４０】
また、前記補正ボタン６２を操作した場合には、補正ウインドウ（図示せず）が新たに開かれ、この補正ウインドウで、全ての画像データに対する明るさや色調やコントラスト等の補正を反映させるように構成されている。この補正データが処理データに含まれている場合には、プレジャッジ画面に表示される複数の画像データの全てに対して補正処理を施したものが表示される。
【００４１】
このようにプレジャッジ画面において必要な入力が完了したことを顧客が確認した場合には、画像データと処理データとが写真プリント部Ｐに伝送される（＃１０５、１０６ステップ）。
【００４２】
この後、処理ユニット２６はディスプレイ２３に対し、図８に示すようにメディアＭに対して処理データを記録する処理の実行の可否の判断を求めるメッセージを表示し、顧客が処理データの記録を認める操作を行った場合にのみ、メディアＭに対して処理データを記録する処理を行い、受付証プリンタ２５から受付証ＲＥをプリントアウトし、メディアドライブ２４からメディアＭを排出する（＃１０７〜＃１１０ステップ）。
【００４３】
つまり、プリント処理に必要な処理データの設定を終了した場合には、その処理データをメディアＭに記録する処理の可否を求めることにより、顧客の意向を確認できるものとなり、メディアＭに対して処理データを記録した場合には、次回に同様のプリント処理を行う場合にはプリント処理に必要なデータの設定の手間を省けるのである。尚、この処理のうち、メディアＭに処理データを記録する処理（＃１０９ステップ）が記録処理ステップであり、前記メッセージをディスプレイ２３に表示する処理のステップ（＃１０７ステップ）は、前記確認手段３５が実現し、この確認の後に処理データをメディアＭに記録する処理は、前記データ記録手段３４が実現する。
【００４４】
前記受付証ＲＥには、図９に示すように顧客の氏名、電話番号の他に受付日、受渡時刻、プリントの明細、プリントに必要な料金等がプリントされ、この受付証ＲＥを受け取った後には、受付証ＲＥにプリントされた受渡時刻以降に受付証ＲＥを提示することにより、顧客がオーダしたプリントを料金と引き換えに受け取ることを実現する。
【００４５】
〔第２実施の形態〕
この第２実施の形態では、受付部Ｒと写真プリント部Ｐとのハードウエアにおいて構成上に差は無く、処理形態が異なるものである（この第２実施の形態では前記第１実施の形態と同じ機能を有するものには、第１実施の形態と共通の番号、符号を付している）。
【００４６】
この第２実施の形態のプリント装置では、受付部Ｒにおいて、フラッシュメモリ型のメディアＭや、ＭＯで成るメディアＭに記録された画像データのプリント処理を受け付けた場合に、そのメディアＭに予め記録されている識別データに基づき、処理データ保存部に保存された処理データを抽出し、その処理データに基づいてプリント処理条件の設定を行えるよう構成されたものであり、このようなプリント処理を実現するために、メディアＭに識別データが記録されていない場合には、プリント処理を受け付けた際に、その識別データをメディアＭに記録し、処理データを処理データ保存部に保存する処理を実行可能に構成されている。
【００４７】
前記識別データは後述するように、受付部ＲにおいてメディアＭに保存したもの、又は、メディアＭの製造時にメディアＭに対して消去不能なデータとして予め保存されたものを対象としている。
【００４８】
プリント装置の処理系を図１０のように示すことが可能である。つまり、受付部Ｒの処理ユニット２６に備えた通信インタフェース２８と、写真プリント部Ｐの制御ユニット１０に備えた通信インタフェース２９とを前記通信ケーブルＣ１で接続して互いにデータのアクセスを行えるよう連係されている。受付部Ｒの処理ユニット２６は、マイクロプロセッサＣＰＵのデータバスに対して前記タッチパネル２２、ディスプレイ２３、メディアドライブ２４、受領証プリンタ２５夫々からのデータのアクセス系を形成すると共に、前記マイクロプロセッサＣＰＵのデータバスに対して半導体メモリＲＡＭ／ＲＯＭ、ハードディスクＨＤ、処理データ保存部３６（ハードディスクＨＤや不揮発メモリで構成することが可能である）からのデータのアクセス系を形成してあり、また、マイクロプロセッサＣＰＵのデータバスに対してソフトウエアで成る画像データ取得手段３０、識別データ取得手段３７、処理データ抽出手段３８、プレジャッジ処理手段３２、処理データ設定手段３３、データ保存手段３９、確認手段３５からのデータのアクセス系を形成している。また、写真プリント部Ｐの処理ユニット１０の構成は第１実施の形態と変わるところがない。
【００４９】
前記画像データ取得手段３０、識別データ取得手段３７、処理データ抽出手段３８、プレジャッジ処理手段３２、処理データ設定手段３３、データ保存手段３９、確認手段３５はソフトウエアで構成されることを想定しているが、ハードウエアで構成されて良く、ハードウエアとの組み合わせで構成されても良い。
【００５０】
この第２実施の形態における処理の流れを図１１のフローチャートのように示すことが可能である。図面には示していないが、受付部Ｒのディスプレイ２３には受付時の初期操作を案内する初期画面が表示され、この初期画面に対してメディアＭの種類を指定する操作の後に、メディアＭをセットすることにより、顧客データ画面が表示される（＃２０１、＃２０２ステップ）。
【００５１】
前記顧客データ画面は、図５に示す氏名入力画面と、図６に示す電話番号入力画面とで構成されている。前記氏名入力画面は、処理を中止する中止ボタン５１と、前の処理に戻るための戻るボタン５２と、処理を完了する完了ボタン５３とを下部に表示すると共に、文字を入力するキーボード５４と、キーボード５４から入力したデータを表示する入力データ表示部５５とを形成している。前記電話番号入力画面は、処理を中止する中止ボタン５１と、前の処理に戻るための戻るボタン５２と、処理を完了する完了ボタン５３とを下部に表示すると共に、数字を入力するキーボード５６と、キーボード５６から入力したデータを表示する入力データ表示部５７とを形成している。
【００５２】
そして、メディアＭに識別データが記録されると共に、処理データ保存部３６に識別データに対応する処理データが保存されている場合には、識別データに基づいて処理データを抽出し、氏名入力画面の入力データ表示部５５に対して顧客の氏名を自動的に入力（設定）し、電話番号入力画面の入力データ表示部５７に対して顧客の電話番号を自動的に入力（設定）する。また、メディアＭに対して識別データが記録されていない場合には、氏名入力画面の入力データ表示部５５、及び、電話番号入力画面の入力データ表示部５７にはデータは表示されず、氏名入力画面と、電話番号入力画面とに対して顧客がディスプレイ２３のタッチパネル２２を自ら操作する形態でデータを入力することになる。
【００５３】
この顧客データは、後述する受領書ＲＥにプリントして顧客を特定するために使用することを想定しているが、例えば、画像データをプリントした印画紙Ｐを顧客が入力した住所に郵送することや、宅配によって届けるためにも使用できる。
【００５４】
処理データとは、基本的なプリント処理に必要なプリントサイズとプリント枚数とを含むと共に、プリント処理に必須ではないが補正データや顧客の氏名や顧客の電話番号を含むデータである。また、この処理データは、ユニークな名称を付したファイル（テキスト形式のデータで良い）に対してプリントサイズ、プリント枚数等のデータを書き込み、このファイルを処理データ保存部３６に保存することにより（処理データ抽出手段３８が取得可能なデータ構造の一例）、名称から処理データ抽出手段３８によって処理データとして抽出できるよう構成されている。
【００５５】
また、識別データ（消去不能なデータで成る識別データは除く）とは、メディアＭに対して識別データ取得手段３７によって取得可能な名称を付したファイルで構成され、このファイルに対して複数の文字や複数の数字等を組み合わせたデータとしてメディアのデータ領域保存されたものである（識別データ取得手段３７が取得可能なデータ構造の一例）。前記処理データ取得手段３８は、識別データと処理データとの対応関係を特定するテーブル等の参照データを保持しており、前記識別データ取得手段３７によって識別データが取得された場合には、処理データ抽出手段３８が参照データに基づいて識別データと対応する処理データのファイルの名称を特定し、そのファイルから処理データを抽出できるように構成されている。また、メディアＭに対して消去不能なデータとして予め保存された識別データはメディアＭのメーカ毎に対応して識別データ取得手段３７が識別データの保存領域にアクセスして識別データを取得することになる。
【００５６】
顧客データの入力が完了した後には、処理ユニット２６は、ディスプレイ２３に対して図７に示す如くプレジャッジ画面を表示し、前記＃２０１ステップで処理データを抽出している場合にはプレジャッジ画面に対して処理データを表示する（＃２０３、＃２０４ステップ）。
【００５７】
このプレジャッジ画面は、処理を中止する中止ボタン５１と、前の処理に戻るための戻るボタン５２と、処理を完了する完了ボタン５３とを下部に表示すると共に、これらのボタンの近傍位置にプリントサイズ、プリントの合計枚数、プリントの合計金額を表示する表示部６０を形成し、全ての画像データのプリント枚数を増減する増減ボタン６１と、補正ボタン６２とを形成している。また、プレジャッジ画面の中央部には画像データをサムネイル形式表示する画像データ表示部６３と、画像データ表示部６３に表示された画像データのプリント枚数を表示する枚数表示部６４と、画像データ表示部６３に表示された画像データのプリント枚数を増減する枚数変更ボタン６５とを形成してあり、また、これら複数の画像データ表示部６３の下側には、ページを切換える形態で複数の画像データ表示部６４を切り換えて表示するページ切換ボタン６６を形成している。
【００５８】
そして、メディアＭに記録された識別データに基づいて処理データが抽出された場合には、表示部６０に対してＬサイズやＥサイズ等のプリントサイズが表示されると共に、例えば、処理データとして各２枚のプリントを行うデータが保存されていた場合には、前記枚数表示部６４に２のデータが表示され、表示部６０の合計枚数と、合計金額との部位に対応するデータが表示される。また、メディアＭに対して識別データが記録されていない場合には枚数表示部６４に対して「１」のデータ（デフォルトのデータ）が表示され、プリントサイズとして例えば、Ｌサイズのデータ（デフォルトのデータ）が表示され、更に、これに対応したデータが表示部６０に表示され、顧客は、必要に応じて任意にデータを入力することになる。
【００５９】
また、前記補正ボタン６２を操作した場合には、補正ウインドウ（図示せず）が新たに開かれ、この補正ウインドウで、全ての画像データに対する明るさや色調やコントラスト等の補正を反映させるように構成されている。この補正データが処理データに含まれている場合には、プレジャッジ画面に表示される複数の画像データの全てに対して補正処理を施したものが表示される。
【００６０】
このようにプレジャッジ画面において必要な入力が完了したことを顧客が確認した場合には、画像データと処理データとが写真プリント部Ｐに伝送される（＃２０５、２０６ステップ）。
【００６１】
この後、処理ユニット２６はディスプレイ２３に対し、図１２に示すようにメディアＭに対して処理データを保存する処理の実行の可否の判断を求めるメッセージを表示し、顧客が処理データの保存を認める操作を行った場合にのみ、処理データ保存部３６に対して処理データを保存し、メディアＭに識別データが記録されていない場合には、メディアＭに識別データを記録する処理を行い、受付証プリンタ２５から受付証ＲＥをプリントアウトし、メディアドライブ２４からメディアＭを排出する（＃２０７〜＃２１０ステップ）。
【００６２】
つまり、プリント処理に必要な処理データの設定を終了した場合には、その処理データを処理データ保存部３６に保存する処理の可否を求めることにより、顧客の意向を確認できるものとなり、識別データ保存部３６に対して処理データを記録した場合には、次回に同様のプリント処理を行う場合にはプリント処理に必要なデータの設定の手間を省けるものになる。尚、この処理のうち、メディアＭに処理データの保存、識別データの記録を行う処理（＃２０９ステップ）が保存処理ステップであり、前記メッセージをディスプレイ２３に表示する処理のステップ（＃２０７ステップ）は、前記確認手段３５が実現するものであり、この確認の後に処理データを処理データ保存部３６に保存し、必要な場合に、メディアＭに識別データを記録する処理は、前記データ保存手段３９が実現する。
【００６３】
また、この第２実施の形態では、メディアＭに識別データが記録されていない場合において、メディアＭに識別データを記録する処理を実行する場合には、データ保存手段３９が識別データを自動的に生成してことを想定しているが、この識別データを顧客がタッチパネル２２から任意に入力するよう構成するよう処理形態を設定しても良い。
【００６４】
前記受付証ＲＥには、図９に示すように顧客の氏名、電話番号の他に受付日、受渡時刻、プリントの明細、プリントに必要な料金等がプリントされ、この受付証ＲＥを受け取った後には、受付証ＲＥにプリントされた受渡時刻以降に受付証ＲＥを提示することにより、顧客がオーダしたプリントを料金と引き換えに受け取ることを実現する。
【００６５】
このように本発明のプリント装置では、顧客が受付装置Ｒにおいて、例えば、デジタルカメラで撮影された画像データを記録したスマートメディアＳＭ、コンパクトフラッシュＣＦ等のメディアＭをメディアドライブ２４にセットすることにより、そのメディアＭに記録された処理データ、又は、メディアＭに記録された識別データに基づいて抽出された処理データに基づいて顧客データをディスプレイ２３に表示することにより、顧客データの入力の手間を省くと共に、このディスプレイ２３に表示したプレジャッジ画面に対して画像データと、必要とする処理データとを表示することにより、プリント処理に必要とするデータの入力の手間を省けるものにしている。特に、メディアＭに記録される処理データ、処理データ保存部３６に保存される処理データは、顧客がプリント処理を行ったもののうち最新のデータに更新されるので、顧客が必要とする最新のデータに基づいたプリント処理を実現するものとなっている。
【００６６】
〔別実施の形態〕
本発明は、上記した実施の形態以外に以下のように構成しても良い。
【００６７】
（イ）実施の形態では半導体型のメディアＭを用いた処理形態を説明したが、メディアＭとしてＭＯやＣＤ−ＲＷのようにデータを追記できるものを対象としても良い。
【００６８】
（ロ）処理データとして、印画紙に対するプリント時に必要なプリントサイズとプリント枚数とを設定していたが、この処理データに対して、印画紙に対するプリントの他に、メディアＭに記録された画像データをＣＤ−Ｒ等の他のメディアに保存する処理を含むものであっても良い。
【００６９】
（ハ）実施の形態では、受付部Ｒにおける処理順序として、顧客データ画面を表示した後にプレジャッジ画面を表示していたが、この表示の順序を逆に設定するものであっても良い。
【００７０】
（ニ）実施の形態では、受付部Ｒと写真プリント部Ｐとを分離した構造のプリント装置を採用していたが、受付部Ｒと写真プリント部Ｐとが一体化した構造のプリント装置を用いて良く、プリント部として、インクジェット型のものや昇華型のものを用いても良い。
【図面の簡単な説明】
【００７１】
【図１】第１実施の形態の写真プリント装置の全体を示す斜視図
【図２】第１実施の形態の受付部を示す斜視図
【図３】第１実施の形態の写真プリント装置のブロック回路図
【図４】第１実施の形態の受付処理ルーチンのフローチャート
【図５】第１実施の形態の氏名入力画面を示す図
【図６】第１実施の形態の電話番号入力画面を示す図
【図７】第１実施の形態のプレジャッジ画面を示す図
【図８】第１実施の形態のメッセージ画面を示す図
【図９】第１実施の形態の受付証を示す図
【図１０】第２実施の形態の写真プリント装置のブロック回路図
【図１１】第２実施の形態の受付処理ルーチンのフローチャート
【図１２】第２実施の形態のメッセージ画面を示す図
【符号の説明】
【００７２】
１            プリント媒体
１０          プリント処理手段
２３          ディスプレイ
３０          画像データ取得手段
３１          処理データ取得手段
３２          プレジャッジ処理手段
３３          処理データ設定手段
３４          データ記録手段
３５          確認手段
３６          処理データ保存手段
３８          処理データ抽出手段
３９          データ保存手段
２４          メディアドライブ
Ｍ            メディア
Ｐ            プリント部
【図１】
2005189685.tif 000003
【図２】
2005189685.tif 000004
【図３】
2005189685.tif 000005
【図４】
2005189685.tif 000006
【図５】
2005189685.tif 000007
【図６】
2005189685.tif 000008
【図７】
2005189685.tif 000009
【図８】
2005189685.tif 000010
【図９】
2005189685.tif 000011
【図１０】
2005189685.tif 000012
【図１１】
2005189685.tif 000013
【図１２】
2005189685.tif 000014